(57)【要約】【課題】インナパネルとアウタパネルとを接合しても、アウタパネルの変形を抑制することができるバックドアを提供する。【解決手段】バックドア１は、インナパネル４と、インナパネル４の線膨張係数Ｋ１と異なる線膨張係数Ｋ２とを有し開口部５ａが設けられたアウタパネル５とを備え、インナパネル４とアウタパネル５との間に設けられ開口部５ａの周りを囲む環状防水部材６を有し、環状防水部材６は、開口部５ａに対して重力方向の下側部分が接着剤６ａで構成され、上側部分が接着剤およびスポンジからなるスポンジシール部材６ｂで構成され、アウタパネル５が、環状防水部材６により囲まれた領域内であって、開口部５ａよりも下側に位置する排水口５ｂを有する。【選択図】図２
2020138690.tif 000002
【特許請求の範囲】
【請求項１】
インナパネルと、該インナパネルの膨張係数と異なる膨張係数を有し開口部が設けられたアウタパネルとを備えたバックドアにおいて、
前記インナパネルと前記アウタパネルとの間に設けられ前記開口部の周りを囲む環状防水部材を有し、
該環状防水部材は、前記開口部に対して重力方向の下側部分が接着剤で構成され、上側部分が接着剤およびスポンジからなるスポンジシール部材で構成され、
前記アウタパネルが、前記環状防水部材により囲まれた領域内であって、前記開口部よりも下側に位置する排水口を有することを特徴とするバックドア。
【発明の詳細な説明】
【技術分野】
【０００１】
本発明は、インナパネルとアウタパネルとを有するバックドアに関する。
【背景技術】
【０００２】
この種のバックドアとして、インナパネルとアウタパネルとが接着剤で接合される際、アウタパネルの接着剤で接合される部分に対応する位置にレリーフを設けて接着するものが開示されている（特許文献１参照）。
【先行技術文献】
【特許文献】
【０００３】
【特許文献１】特開２０１７−１８５８３４号公報
【発明の概要】
【発明が解決しようとする課題】
【０００４】
しかしながら、特許文献１に記載のバックドアにおいて、レリーフを設けないような平坦なアウタパネルの箇所で接着を行うと、接着箇所が円環状であるため、インナパネルとアウタパネルの線膨張係数が異なっている場合、アウタパネルが変形してしまうおそれがあるという問題がある。なお、バックドアにランプやドアオープナーなどの部品を配置するために開口部を形成する場合、アウタパネルの開口部から雨水や洗車時の水が浸入することを防ぐ必要があり、開口部を囲む環状の防水部材を設ける必要がある。開口部を囲む環状の防水部材を設けるとアウタパネルの変形が起き易いという問題がある。
【０００５】
本発明は、このような問題を解決するためになされたもので、インナパネルとの膨張係数の相異によるアウタパネルの変形を抑制することができるバックドアを提供することを課題とする。
【課題を解決するための手段】
【０００６】
本発明に係るバックドアは、インナパネルと、該インナパネルの膨張係数と異なる膨張係数を有し開口部が設けられたアウタパネルとを備えたバックドアにおいて、前記インナパネルと前記アウタパネルとの間に設けられ前記開口部の周りを囲む環状防水部材を有し、該環状防水部材は、前記開口部に対して重力方向の下側部分が接着剤で構成され、上側部分が接着剤およびスポンジからなるスポンジシール部材で構成され、前記アウタパネルが、前記環状防水部材により囲まれた領域内であって、前記開口部よりも下側に位置する排水口を有することを特徴とする。
【０００７】
本発明に係るバックドアは、インナパネルとアウタパネルとの間に設けられた環状防水部材の開口部に対する重力方向の下側部分が、接着剤により接合されるので、インナパネルとアウタパネルとが固く接合される。一方、環状防水部材の開口部に対する上側部分が接着剤およびスポンジからなるスポンジシール部材で接合されているので、インナパネルとアウタパネルが異なる膨張係数を有し、異なる膨張係数に起因して生ずる力がアウタパネルを変形させる方向に作用しても、その力の作用は、スポンジシール部材で緩衝され、アウタパネルの変形が抑制される。また、アウタパネルが、環状防水部材により囲まれた領域内であって、開口部よりも下側に位置する排水口を有しているので、雨水や洗車時の水が開口部からインナパネルとアウタパネルとの間に浸入しても排水口から排水され、内部に水が溜まることが防止される。また、環状防水部材により開口部の周りが囲まれているので、水が開口部からインナパネルとアウタパネルとの間に浸入しても、バックドアから車室内に浸入することが防止される。
【発明の効果】
【０００８】
本発明によれば、インナパネルとの膨張係数の相異によるアウタパネルの変形を抑制することができるバックドアを提供することができる。
【図面の簡単な説明】
【０００９】
【図１】本発明の実施形態に係るバックドアの外観図。
【図２】本発明の実施形態に係るバックドアの部分断面図。
【図３】従来のバックドアの外観図。
【発明を実施するための形態】
【００１０】
本発明に係るバックドアを適用した実施形態に係るバックドア１について図面を参照して説明する。
【００１１】
バックドア１は、図示しない自動車の後部に開閉自在に設けられているドアであり、図１および図２に示すように、スポイラー２と、リヤウインドウ３と、インナパネル４と、アウタパネル５と、環状防水部材６と、ライセンスランプ７とを有している。バックドア１は、通常の状態では閉じており、荷物の出し入れなどで自動車の後部を開放させる必要があるときに開けることができるようになっている。バックドア１は、ドア上部が自動車の車体にヒンジによって支持されており、通常の状態では図１に示すように重力方向に沿って上下に亘るように配置され、バックドア１の下部を上に持ち上げることにより自動車の後部を開放するようになっている。
【００１２】
スポイラー２は、自動車の走行中に発生する揚力を低減する機能を有し、バックドア１の上部に設けられている。リヤウインドウ３は、自動車の後部ガラス窓であり、スポイラー２の下部にスポイラー２に隣接して設けられている。
【００１３】
インナパネル４は、図２に示すように、バックドア１の車室内側に設けられており、合成樹脂を射出成形することにより形成されている。合成樹脂としては、例えば、ガラス繊維やカーボン繊維で強化されたポリプロピレン樹脂（ＰＰ）などの熱可塑性樹脂や、不飽和ポリエステル樹脂（ＵＰ）などの熱硬化樹脂が挙げられる。
【００１４】
熱可塑性樹脂として、例えば、日本ポリプロ株式会社製のガラス繊維強化ポリプロピレン樹脂が挙げられる。インナパネル４は、膨張係数としての線膨張係数（／Ｋ）Ｋ１を有している。インナパネル４には、ライセンスランプ７を取り付ける取付部４ａが形成されている。
【００１５】
アウタパネル５は、インナパネル４と所定の隙間を開けて対向し、インナパネル４の外側に設けられており、合成樹脂を射出成形することにより形成されている。合成樹脂としては、例えば、ポリプロピレン樹脂（ＰＰ）やポリカーボネイト樹脂（ＰＣ）などの熱可塑性樹脂が挙げられる。具体的には、日本ポリプロ株式会社製のポリプロピレン樹脂が挙げられる。アウタパネル５は、インナパネル４の線膨張係数Ｋ１と異なる線膨張係数Ｋ２を有している。
【００１６】
アウタパネル５には、ライセンスランプ７から照射される光を透過する開口部５ａが設けられている。また、アウタパネル５には、環状防水部材６により囲まれた領域内であって、開口部５ａよりも下側に排水口５ｂが設けられている。排水口５ｂは、開口部５ａからインナパネル４とアウタパネル５との間の隙間に浸入する雨水や洗車時の水を排水する機能を有している。また、アウタパネル５には、美的効果を有する意匠面５ｃが形成されている。
【００１７】
環状防水部材６は、開口部５ａの周りを連続して囲む環状の部材からなり、インナパネル４とアウタパネル５との間に設けられている。環状防水部材６は、開口部５ａから浸入した雨水や洗車時の水が、インナパネル４とアウタパネル５との間の隙間を通って車室内に浸入するのを防止する機能を有している。
【００１８】
環状防水部材６は、図１に示すように、アウタパネル５の開口部５ａに対して重力方向の下側部分が接着剤６ａで構成され、上側部分が接着剤およびスポンジからなるスポンジシール部材６ｂで構成されている。接着剤６ａとしては、例えば、ウレタン接着剤やアクリル接着剤が挙げられる。具体的には、横浜ゴム株式会社製のウレタン接着剤が挙げられる。スポンジとしては、例えば、ゴム系のフォーム材が挙げられる。具体的には、日東電工株式会社製の発泡シール材が挙げられる。
【００１９】
ライセンスランプ７は、アウタパネル５に取り付けられている図示しない自動車登録番号標、いわゆるナンバープレートに向けて、アウタパネル５の開口部５ａから光を照射するように構成されている。
【００２０】
次いで、環状防水部材６をインナパネル４およびアウタパネル５の間に形成する形成方法について図面を参照して簡単に説明する。
【００２１】
まず、図１の破線の楕円で示す開口部５ａに対して上側の細い破線部分、即ち意匠面５ｃに対向する位置のインナパネル４の表面にスポンジシール部材６ｂを、接着剤としての両面テープで貼り付ける。
【００２２】
次いで、図１の破線の楕円で示す開口部５ａに対して下側の太い破線部分に対向するインナパネル４の表面に接着剤６ａを塗布する。次いで、アウタパネル５をインナパネル４に向けて圧接し、インナパネル４に塗布した接着剤６ａが所定の厚みになるように、治具を使用して、アウタパネル５およびインナパネル４を固定する。なお、本実施例では、インナパネル４の表面にのみ接着剤６ａを塗布する場合について説明したが、これに加えて、図１の破線の楕円で示す開口部５ａに対して下側の太い破線部分のアウタパネル５の内側面に接着剤６ａを塗布してもよい。
【００２３】
次いで、接着剤６ａ部分を加熱し、接着剤６ａを硬化させる。硬化後に装着した治具を取り外して、環状防水部材６のインナパネル４およびアウタパネル５の間への形成が終了する。
【００２４】
次いで、本実施形態に係るバックドア１の効果について図面を参照して説明する。
【００２５】
本実施形態に係るバックドア１は、インナパネル４と、インナパネル４の線膨張係数Ｋ１と異なる線膨張係数Ｋ２を有し開口部５ａが設けられたアウタパネル５とを備え、インナパネル４とアウタパネル５との間に設けられ開口部５ａの周りを囲む環状防水部材６を有している。
【００２６】
環状防水部材６は、開口部５ａに対して重力方向の下側部分が接着剤６ａで構成され、上側部分が接着剤およびスポンジからなるスポンジシール部材６ｂで構成され、アウタパネル５が、環状防水部材６により囲まれた領域内であって、開口部５ａよりも下側に位置する排水口５ｂを有している。
【００２７】
この構成により、インナパネル４とアウタパネル５との間に設けられた環状防水部材６の開口部５ａに対する下側部分が、接着剤６ａにより接合されるので、インナパネル４とアウタパネル５とが固く接合されるという効果が得られる。
【００２８】
一方、環状防水部材６の開口部５ａに対する上側部分が接着剤およびスポンジからなるスポンジシール部材６ｂで接合されるので、インナパネル４とアウタパネル５がそれぞれ異なる線膨張係数Ｋ１、Ｋ２を有し、インナパネル４との線膨張係数の相異によりアウタパネル５を変形させる力がアウタパネル５に作用しても、その変形させる力の作用は、スポンジシール部材６で緩衝され、アウタパネル５の変形が抑制されるという効果が得られる。
【００２９】
また、アウタパネル５が、環状防水部材６により囲まれた領域内であって、開口部５ａよりも下側に位置する排水口５ｂを有しているので、雨水や洗車時の水が開口部５ａからインナパネル４とアウタパネル５との間に浸入しても、排水口５ｂから排水されるので、内部に水が溜まることが防止されるという効果が得られる。
【００３０】
また、環状防水部材６により開口部５ａの周りが囲まれているので、水が開口部５ａからインナパネル４とアウタパネル５との間に浸入しても、バックドア１から車室内に浸入することが防止されるという効果が得られる。
【００３１】
本実施形態に係るバックドア１は、従来のバックドアにおける問題を解消することができるという効果が得られる。即ち、従来のバックドアは、アウタパネルにレリーフを設けるため、アウタパネルの意匠は、レリーフを含んだものであり、その位置も接着剤の塗布位置に合わせる必要があり、意匠面で制約を受けるという問題がある。即ち、レリーフを含まない平滑な意匠にすることは困難であり、また、意図しないところにレリーフを設けなければならない場合があるという問題があった。
【００３２】
また、従来のバックドアは、インナパネルにガラス繊維強化ポリプロピレン樹脂が用いられ、アウタパネルにポリプロピレン樹脂が用いられており、図３の太破線で示すように、環状に塗布した接着剤で強固に接合した構造となっている。この構造においては、車両が日中の炎天下に晒されて高温になると、アウタパネルとインナパネルとの線膨張係数の差により、接着部に高い応力が生ずる。この応力により、アウタパネルに永久変形が生じて、外観を損なってしまうという問題があった。
【００３３】
一方、バックドアにライセンスランプ、バックカメラやドアオープナーなどの部品が装着された場合、これらの部品を組み付けるために、アウタパネルに開口部を開ける必要がある。この開口部から、雨水や洗車時の水が内部に浸入し、車室内に浸入するおそれがある。この浸水を防止するために、アウタパネルの開口部を囲む形で、図３の太破線で示す部分に接着剤を塗布している。
【００３４】
この接着剤は、インナパネルとアウタパネルとを固着させるとともに、インナパネルとアウタパネルとの間をシールするシール剤としても使われている。なお、開口部から浸入した水は、接着剤で囲まれた領域内で、開口部よりも下側の位置に設けられた排水口から排出される。このように、開口部の周りを接着剤で囲む必要があり、従来のバックドアでは、接着剤が、インナパネルとアウタパネルとの接合と、防水の機能を有していた。したがって、アウタパネルに永久変形が生じ易くなっていた。
【００３５】
本実施形態に係るバックドア１は、このような従来のバックドアにおける問題を解消することができるという効果が得られる。
【００３６】
以上、本発明の実施形態について詳述したが、本発明は、前記の実施形態に限定されるものではなく、特許請求の範囲に記載された本発明の趣旨を逸脱しない範囲で、種々の設計変更を行うことができるものである。
【符号の説明】
【００３７】
１・・・バックドア、２・・・スポイラー、３・・・リヤウインドウ、４・・・インナパネル、４ａ・・・取付部、５・・・アウタパネル、５ａ・・・開口部、５ｂ・・・排水口、５ｃ・・・意匠面、６・・・環状防水部材、６ａ・・・接着剤、６ｂ・・・スポンジシール部材、７・・・ライセンスランプ
【図１】
2020138690.tif 000003
【図２】
2020138690.tif 000004
【図３】
2020138690.tif 000005